(57)【要約】【課題】本発明は、液晶表示装置に関する。【解決手段】本発明に係る液晶表示装置は、映像を表示する液晶パネルと、前記液晶パネル上部に位置する透明プレートと、前記液晶パネルを支持する支持手段と、前記透明プレート上部に設けられ、前記支持手段と締結し前記液晶パネルと透明プレートを固定し保護する固定手段と、を含む。【選択図】図２
2005316379.tif 000002
【特許請求の範囲】
【請求項１】
映像を表示する液晶パネルと、
前記液晶パネル上部に位置する透明プレートと、
前記液晶パネルを支持する支持手段と、
前記透明プレート上部に設けられ、前記支持手段と一対となって前記液晶パネルと透明プレートを固定し保護する固定手段を含むことを特徴とする液晶表示装置。
【請求項２】
映像を表示する液晶パネルと、
前記液晶パネル下部に位置する透明プレートと、
前記透明プレート下部に位置し、前記透明プレート及び液晶パネルを支持する支持手段と、
前記液晶パネル上部に設けられ、前記支持手段と一対となって前記液晶パネルと透明プレートを固定し保護する固定手段を含むことを特徴とする液晶表示装置。
【請求項３】
映像を表示する液晶パネルと、
前記液晶パネル上部に位置する第１透明プレートと、
前記液晶パネル下部に位置する第２透明プレートと、
前記第２透明プレート下部に位置し、前記第２透明プレート及び液晶パネルを支持する支持手段と、
前記第１透明プレート上部に設けられ、前記支持手段と一対となって前記液晶パネルと第１及び第２透明プレートを固定し保護する固定手段を含むことを特徴とする液晶表示装置。
【請求項４】
前記液晶パネルはツイストネマティック型（TN）、水平配列型（IPS）、垂直配列型（VA）の中の一つからなることを特徴とする請求項１乃至請求項３のいずれか一つに記載の液晶表示装置。
【請求項５】
前記液晶パネル下部に、前記液晶パネルに光を供給するバックライトアセンブリーをさらに備えることを特徴とする請求項１乃至請求項３のいずれか一つに記載の液晶表示装置。
【請求項６】
前記バックライトアセンブリーは直下型バックライトアセンブリーであることを特徴とする請求項５に記載の液晶表示装置。
【請求項７】
前記バックライトアセンブリーはエッジタイプバックライトアセンブリーであることを特徴とする請求項５に記載の液晶表示装置。
【請求項８】
前記液晶パネルは、
第１基板と、
前記第１基板下部に所定の間隔で離れている第２基板と、
前記第１基板及び第２基板との間に充填されている液晶層と、
前記第１基板上部に付着されている第１偏光板と、
前記第２基板下部に付着されている第２偏光板を備えることを特徴とする請求項１乃至請求項３のいずれか一つに記載の液晶表示装置。
【発明の詳細な説明】
【技術分野】
【０００１】
本発明は液晶表示装置に関する。
【背景技術】
【０００２】
一般的に、映像情報を画面に示す映像表示装置の中で、ブラウン管表示装置(CRT)が今まで最も多く作用されているが、これは表示面積に比べて体積が大きく重いため、作用に多くの不便がある。
これにより、表示面積が大きくてもその厚さが薄く、どの場所でも気軽に作用できる薄膜型平板表示装置が開発され、次第にブラウン管表示装置を代替している。特に、液晶表示装置は表示解像度が他の平板表示装置より優れており、動画像の具現においてその品質がブラウン管と張り合える程反応速度が速いという特性を示している。
【０００３】
知られているように、液晶表示措置の駆動原理は、液晶の光学的異方性と分極性質を用いている。液晶は、細く長い構造のため、分子配列に方向性を分極性を有する液晶分子により人為的に電気場を印加し分子配列方向を調節できる。従って、配向方向を任意に調節すれば、液晶の光学的異方性により液晶分子の配列方向に応じて光を透過または遮断できるようになり、色相及び映像を表示することができる。
【０００４】
さらに、アクティブマトリックス型液晶表示装置(AMLCD)は、マトリックスの形に配列される各画素にアクティブ素子を付加し、この素子のスイッチング特性を用いて各画素の動作を制御することであり、液晶の電気光学効果によってメモリー機能を具現している。
【０００５】
一方、一般的に液晶表示装置は自体光源のない手動表示装置としてランプ、導光板及びシート類等のバックライトアセンブリーを必要とする。図１は一般的な液晶表示装置の分解斜視図である。
【０００６】
このようなバックライトアセンブリーは、液晶パネル１２０に光を供給する装置であり、図１に示すように、その構成要素として光を発光する光源１４０、前記光源１４０から発光される光を上部に反射する反射板１７０、前記光源１４０から発光される光を伝播させる導光板１６０、上部に透過され伝播される光を拡散させる拡散板１３０を含む。また、バックライトアセンブリーは前記光源１４０を支持し、前記光源１４０から発光される光を前記導光板１６０に反射するランプハウジング１５０をさらに備えている。
そして、液晶表示装置１００の構成は、図１に示すように、前記液晶パネル１２０を保護し支持するためトップケース１１０、メインサポート１８０、ボトムカバー１９０をさらに含む。
【０００７】
ここでは、バックライトアセンブリーの記述において、エッジタイプバックライトアセンブリーを基準として説明するが、液晶パネル下部に複数の光源を備える直下型バックライトアセンブリーも多く用いられている。
【０００８】
一方、近年は液晶表示装置が大型になっており、６０インチ以上の大型モデルに対しても研究が進んでいる。そして、このように液晶表示装置が大型化することにおいて、次のような問題が発生している。
即ち、液晶パネルが大型化することで、液晶パネルの変形と機構部(例えばトップケース、メインサポート、ボトムカバー等)との干渉により液晶パネルに伝えられる応力が大きくなる。なお、このような応力が液晶パネルに伝えられることによって、液晶表示装置のタッチ輝度不均一が発生し、またエッジ部の光漏れが発生する問題がある。
【発明の開示】
【発明が解決しようとする課題】
【０００９】
本発明の目的は、液晶パネルの変形を防ぐことにより、表示される映像の画質を向上させる液晶表示装置を提供することにある。
【課題を解決するための手段】
【００１０】
前記の目的を達成するため本発明に係る液晶表示装置は、映像を表示する液晶パネルと、前記液晶パネル上部に位置する透明プレートと、前記液晶パネルを支持する支持手段と、前記透明プレート上部に設けられ、前記支持手段と締結し前記液晶パネルと透明プレートを固定し保護する固定手段と、を含むことを特徴とする。
【００１１】
さらに、前記の目的を達成するため本発明に係る液晶表示装置の別の実施例は、映像を表示する液晶パネルと、前記液晶パネル下部に位置する透明プレートと、前記透明プレート下部に位置し、前記透明プレート及び液晶パネルを支持する支持手段と前記液晶パネル上部に設けられ、前記支持手段と締結し前記液晶パネルと透明プレートを固定し保護する固定手段と、を含むことを特徴とする。
【００１２】
また、前記の目的を達成するため本発明に係る液晶表示装置のもう一つの実施例は、映像を表示する液晶パネルを、前記液晶パネル上部に位置する第１透明プレートと、前記液晶パネル下部に位置する第２透明プレートと、前記第２透明プレート下部に位置され、前記第２透明プレート及び液晶パネルを支持する支持手段と、前記第１透明プレート上部に設けられ、前記支持手段と締結し前記液晶パネルと第１及び第２透明プレートを固定し保護する固定手段と、を含むことを特徴とする。
【発明の効果】
【００１３】
本発明に係る液晶表示装置は、液晶パネルの変形を防ぐことで、表示される映像の画質を向上させる。
さらに、本発明に係る液晶表示装置はタッチ輝度の不均一の発生を減少させ、エッジ部の光漏れの発生を減少させることができる。
なお、本発明に係る液晶表示装置は、液晶量のマージンを増加させることができる。
【発明を実施するための最良の形態】
【００１４】
本発明では、液晶パネルの変形を防ぐことで、表示される映像の画質を向上させる液晶表示装置を提示しようとし、以下の添付図面を参照し本発明の実施例を詳しく説明する。
【００１５】
第１実施例
図２は、本発明に係る液晶表示装置の第１実施例の構成を概念的に示す図である。
本発明の第１実施例に係る液晶表示装置２００の構成は、図２に示すように、映像を表示する液晶パネル２０３と、前記液晶パネル２０３上部に位置する透明プレート２０２を含む。また、本発明に係る液晶表示装置２００は、前記液晶パネル２０３を支持する支持手段２０４及び固定手段２０１をさらに含んでいる。ここで、前記固定手段２０１は、前記透明プレート２０２上部に設けられ、前記支持手段２０４と一対となり前記液晶パネル２０３と透明プレート２０２を固定し保護する機能を行う。
【００１６】
この際、前記固定手段２０１としては、トップケース等が可能であり、前記支持手段２０４としてはメインサポート、ボトムカバー等が可能である。これは液晶表示装置の構成要素の選択によって様々な変更が可能であり、バックライトアセンブリーを採用するかどうか、またはバックライトアセンブリーの形態によっても変更できるようになる。
【００１７】
このように、図面では示していないが、本発明に係る液晶表示装置２００には、前記液晶パネル２０３に光を供給するためのバックライトアセンブリーをさらに備えることができる。また、バックライトアセンブリーは直下型バックライトアセンブリー、または、エッジタイプバックライトアセンブリーを採用することもできる。この際、バックライトアセンブリーは前記液晶パネル２０３の下部に設けられる。
【００１８】
そして、前記液晶パネル２０３は、図面に示していないが、第１基板と第２基板との間に液晶層が充填されてなり、前記第１基板上部及び前記第２基板下部には偏光板がそれぞれ付着できる。一般的に前記第１基板にはカラーフィルター及び共通電極を備え、前記第２基板にはスイッチング素子及び画素電極を具備する。しかし、知られているように、前記液晶パネル２０３を形成する方法としては、ＴＦＴ上のカラーフィルター（COT）構造及びカラーフィルター上のＴＦＴ（TOC）構造を含んで様々な変形が可能である。
【００１９】
また、前記液晶パネル２０３は、反射型、透過型、半透過型等様々な具現ができる。そして、前記液晶パネル２０３はツイストネマティック型（TN）、水平配列型（IPS）、垂直配列型（VA）等を含んで様々な具現ができる。
【００２０】
一方、本発明に係る液晶表示装置２００は、前記液晶パネル２０３上部に透明プレート２０２が設けられることにその特徴がある。基本的に前記透明プレート２０２は前記液晶パネル２０３を保護する機能を行い、また外部から前記液晶パネル２０３に直接的なタッチが発生するのを防止できるようになる。
この際、前記透明プレート２０２は所定の硬度を有する材質からなることで、前記液晶パネル２０３が自体荷重または外部から伝えられる圧力による変形を防止できるようになる。
【００２１】
このように本発明によれば、前記液晶パネル２０３が自体荷重または外力による変形を防止できるようになり、液晶パネルにタッチ輝度不均一が発生するのを防止できる。ここで、タッチ輝度不均一とは、液晶表示装置のブラッグモードで液晶パネルに外力が加わる場合、平衡状態が崩れることで、初期のブラッグ状態が不均一になることを意味する。
【００２２】
このようにタッチ輝度不均一は液晶パネル２０３が大きくなればなるほど解決が難しくなるが、本発明のように前記液晶パネル２０３上部に透明プレート２０２を設けることで、その解決方案を提供できるようになる。特に、本発明は６０インチ以上の大型液晶パネルを備える液晶表示装置でさらに大きい効果が出るようになる。
【００２３】
なお、本発明によれば、VAモードの液晶パネルを備える液晶表示装置に比べ、IPSモードの液晶パネルを備える液晶表示装置においてより大きい効果が出るようになる。これは水平電界を用いるIPSモードの特性によることで、IPSモードの液晶パネルが変形による影響をより大きく受けるからである。
【００２４】
そして、本発明によれば、所定の硬度を有する透明プレート２０２が前記液晶パネル２０３と固定手段２０１との間に設けられることで、前記液晶パネル２０３の変形が減少できるようになる。なお、これにより、エッジ部の光漏れの発生を減らすことができる。ここで、光漏れとは前記液晶パネル２０３の変形により液晶パネル２０３の外郭部に光が漏れる現象を意味する。
【００２５】
また、本発明によれば、液晶パネルを形成する工程上において、液晶量のマージンを向上させることが可能になる。一般的に液晶量はセル設計時に電気光学の特性を考慮するセルギャップと、液晶パネル内部のTFT配列とカラーフィルター配列の形態によって決定される。この際、設計条件を満足する領域の液晶量区間を液晶量マージンと呼ぶ。
【００２６】
一方液晶パネルが大型化する場合、タッチ輝度不均一を解消するための一つの方案として、液晶量を増加させる場合は、液晶量マージンが少なくなる問題がある。しかし、本発明によれば、透明プレートを利用しタッチ輝度不均一を解消できるようになり、これによって設計条件を満足する液晶量区間を拡大できるようになるのである。
【００２７】
第２実施例
図３は本発明に係る液晶表示装置の第２実施例の構成を概念的に示す図面である。
本発明の第２実施例に係る液晶表示装置３００の構成は、図３に示すように、映像を表示する液晶パネル３０２と、前記液晶パネル３０２下部に位置する透明プレート３０３を含む。なお、本発明に係る液晶表示装置３００は、支持手段３０４及び固定手段３０１をさらに含んでいる。ここで、前記支持手段３０４は前記透明プレート３０３下部に位置し、前記透明プレート３０３及び液晶パネル３０２を支持する役割を行う。また、前記固定手段３０１は前記液晶パネル３０２上部に設けられ、前記支持手段３０４と締結し前記液晶パネル３０２と透明プレート３０３を固定し保護する機能を行う。
【００２８】
この際、前記固定手段３０１としては、トップケース等が可能であり、前記支持手段３０４としては、メインサポート、ボトムカバー等が可能である。これは液晶表示装置の構成要素の選択によって様々な変更が可能であり、バックライトアセンブリーを採用するかどうか、またはバックライトアセンブリーの形態によっても変更ができるようになる。
【００２９】
このように、図面では示していないが、本発明に係る液晶表示装置３００には、前記液晶パネル３０２に光を供給するためのバックライトアセンブリーをさらに備えることができる。また、バックライトアセンブリーは直下型バックライトアセンブリー、または、エッジタイプバックライトアセンブリーを採用することもできる。この際、バックライトアセンブリーは前記液晶パネル３０２の下部に設けられる。
【００３０】
そして、前記液晶パネル３０２は、図面に示していないが、第１基板と第２基板との間に液晶層が充填されてなり、前記第１基板上部及び前記第２基板下部には偏光板がそれぞれ付着できる。一般的に前記第１基板にはカラーフィルター及び共通電極を備え、前記第２基板にはスイッチング素子及び画素電極を具備する。しかし、知られているように、前記液晶パネル３０２を形成する方法としては、ＴＦＴ上のカラーフィルター上の（COT）構造及びカラーフィルター上のＴＦＴ（TOC）構造を含んで様々な変形が可能である。
【００３１】
また、前記液晶パネル３０２は、反射型、透過型、半透過型等様々な具現ができる。そして、前記液晶パネル３０２はツイストネマティック型（TN）、水平配列型（IPS）、垂直配列型（VA）等を含んで様々な具現ができる。
【００３２】
一方、本発明に係る液晶表示装置３００は、前記液晶パネル３０２下部に透明プレート３０３が設けられることにその特徴がある。前記透明プレート３０３は前記支持手段３０４と液晶パネル３０２との間の機構的な間隔を除去する機能を行う。この際、前記透明プレート３０３は所定の硬度を有する材質からなることで、前記液晶パネル３０２が自体荷重または下部支持手段３０４との機構的な間隔による圧力により変形することを防止できるようになる。
【００３３】
このように本発明によれば、前記液晶パネル３０２が変形することを防止できるようになることで、液晶パネルにタッチ輝度不均一が発生するのを防止できる。
【００３４】
このようなタッチ輝度不均一は液晶パネル３０２が大きくなればなるほど解決が難しくなるが、本発明のように前記液晶パネル３０２下部に透明プレート３０３を設けることで、その解決方案が提供できるようになる。特に、本発明は６０インチ以上の大型液晶パネルを備える液晶表示装置でさらに大きい効果が出るようになる。
【００３５】
なお、本発明によれば、VAモードの液晶パネルを備える液晶表示装置に比べ、IPSモードの液晶パネルを備える液晶表示装置においてより大きい効果が出るようになる。これは水平電界を用いるIPSモードの特性によることで、IPSモードの液晶パネルが変形による影響をより大きく受けるからである。
【００３６】
そして、本発明によれば、所定の硬度を有する透明プレート３０３が前記液晶パネル３０２と支持手段３０４との間に設けられることで、前記液晶パネル３０２の変形が減少できるようになる。なお、これにより、エッジ部の光漏れの発生を減らすことができる。
【００３７】
また、本発明によれば、液晶パネルを形成する工程上において、液晶量のマージンを向上させることが可能になる。一般的に液晶量はセル設計時に電気光学の特性を考慮するセルギャップと、液晶パネル内部のTFT配列とカラーフィルター配列の形態によって決定される。この際、設計条件を満足する領域の液晶量区間を液晶量マージンと呼ぶ。
【００３８】
一方、液晶パネルが大型化する場合、タッチ輝度不均一を解消するための一つの方案として、液晶量を増加させる場合は、液晶量マージンが少なくなる問題がある。しかし、本発明によれば、透明プレートを利用しタッチ輝度不均一を解消できるようになり、これによって設計条件を満足する液晶量区間を拡大できるようになる。
【００３９】
第３実施例
図４は本発明に係る液晶表示装置の第３実施例の構成を概念的に示す図面である。
本発明の第３実施例に係る液晶表示装置４００の構成は、図４に示すように、映像を表示する液晶パネル４０３と、前記液晶パネル４０３上部に位置する第１透明プレート４０２と、前記液晶パネル４０３下部に位置する第２透明プレート４０４とを含む。なお、本発明に係る液晶表示装置４００は、支持手段４０５及び固定手段４０１をさらに含んでいる。
【００４０】
ここで、前記支持手段４０５は前記第２透明プレート４０４下部に位置し、前記第２透明プレート４０４及び液晶パネル４０３を支持する機能を行う。また、前記固定手段４０１は前記第１透明プレート４０２上部に設けられ、前記支持手段４０５と締結し前記液晶パネル４０３と第１及び第２透明プレート４０２，４０４を固定し保護する機能を行う。
【００４１】
この際、前記固定手段４０１としては、トップケース等が可能であり、前記支持手段４０５としては、メインサポート、ボトムカバー等が可能である。これは液晶表示装置の構成要素の選択によって様々な変更が可能であり、バックライトアセンブリーを採用するかどうか、またはバックライトアセンブリーの形態によっても変更ができるようになる。
【００４２】
このように、図面では示していないが、本発明に係る液晶表示装置４００には、前記液晶パネル４０３に光を供給するためのバックライトアセンブリーをさらに備えることができる。また、バックライトアセンブリーは直下型バックライトアセンブリー、または、エッジタイプバックライトアセンブリーを採用することもできる。この際、バックライトアセンブリーは前記液晶パネル４０３の下部に設けられる。
【００４３】
そして、前記液晶パネル４０３は、図面に示していないが、第１基板と第２基板との間に液晶層が充填されてなり、前記第１基板上部及び前記第２基板下部には偏光板がそれぞれ付着できる。一般的に前記第１基板にはカラーフィルター及び共通電極を備え、前記第２基板にはスイッチング素子及び画素電極を具備する。しかし、知られているように、前記液晶パネル４０３を形成する方法としては、ＴＦＴ上のカラーフィルター上の（COT）構造及びカラーフィルター上のＴＦＴ（TOC）構造を含んで様々な変形が可能である。
【００４４】
また、前記液晶パネル４０３は、反射型、透過型、半透過型等様々な具現ができる。そして、前記液晶パネル４０３はツイストネマティック型（TN）、水平配列型（IPS）、垂直配列型（VA）等を含んで様々な具現ができる。
【００４５】
一方、本発明に係る液晶表示装置４００は、前記液晶パネル４０３上部に第１透明プレート４０２が設けられ、前記液晶パネル４０３の下部に第２透明プレート４０４が設けられることにその特徴がある。
【００４６】
基本的に前記第１透明プレート４０２は前記液晶パネル４０３を保護する機能を行い、また、外部から前記液晶パネル４０３に直接的なタッチが発生することを防止できるようになる。この際、前記第１透明プレート４０２は所定の硬度を有する材質からなることで、前記液晶パネル４０３が自体荷重または外部から伝えられる圧力による変形を防止できるようになる。
【００４７】
また、前記第２透明プレート４０４は前記支持手段４０５と液晶パネル４０３との間の機構的な間隔を除去する機能を行う。この際、前記第２透明プレート４０４は所定の硬度を有する材質からなることで、前記液晶パネル４０３が自体荷重または下部支持手段４０５との機構的な間隔による圧力により変形することを防止できるようになる。
【００４８】
このように、本発明によれば、前記液晶パネル４０３が変形することをより安定的に防止できるようになることで、液晶パネルにタッチ輝度不均一が発生することを防止できる。
【００４９】
このようなタッチ輝度不均一は液晶パネル４０３が大きくなればなるほど解決が難しくなるが、本発明のように前記液晶パネル４０３上部及び下部に第１透明プレート４０２及び第２透明プレート４０４をそれぞれ設けることで、その解決方案を提供できるようになる。特に、本発明は６０インチ以上の大型液晶パネルを備える液晶表示装置でさらに大きい効果が出るようになる。
【００５０】
なお、本発明によれば、VAモードの液晶パネルを備える液晶表示装置に比べ、IPSモードの液晶パネルを備える液晶表示装置においてより大きい効果が出るようになる。これは水平電界を用いるIPSモードの特性によることで、IPSモードの液晶パネルが変形による影響をより大きく受けるからである。
【００５１】
そして本発明によれば、所定の硬度を有する第１透明プレート４０２が前記液晶パネル４０３と固定手段４０１との間に設けられ、所定の硬度を有する前記第２透明プレーと４０４が前記液晶パネル４０３と支持手段４０５との間に設けられることで、前記液晶パネル４０３の変形をさらに減少できるようになる。なお、これにより、エッジ部の光漏れの発生を減らすことができる。
【００５２】
また、本発明によれば、液晶パネルを形成する工程上において、液晶量のマージンを向上させることが可能になる。一般的に液晶量はセル設計時に電気光学の特性を考慮するセルギャップと、液晶パネル内部のTFT配列とカラーフィルター配列の形態によって決定される。この際、設計条件を満足する領域の液晶量区間を液晶量マージンと呼ぶ。
【００５３】
一方、液晶パネルが大型化する場合、タッチ輝度不均一を解消するための一つの方案として、液晶量を増加させる場合は、液晶量マージンが少なくなる問題がある。しかし、本発明によれば、透明プレートを利用しタッチ輝度不均一を解消できるようになり、これによって設計条件を満足する液晶量区間を拡大できるようになる
【図面の簡単な説明】
【００５４】
【図１】従来の液晶表示装置の分解斜視図である 。
【図２】本発明に係る液晶表示装置の第１実施例の構成を概念的に示す図である 。
【図３】本発明に係る液晶表示装置の第２実施例の構成を概念的に示す図である 。
【図４】本発明に係る液晶表示装置の第３実施例の構成を概念的に示す図である 。
【符号の説明】
【００５５】
２００，３００，４００          液晶表示装置
２０１，３０１，４０１          固定手段
２０２，３０３                  透明プレート
２０３、３０２，４０３          液晶パネル
２０４，３０４，４０５          支持手段
４０２                          第１透明プレート
４０４                          第２透明プレート
【図１】
2005316379.tif 000003
【図２】
2005316379.tif 000004
【図３】
2005316379.tif 000005
【図４】
2005316379.tif 000006